(57)【要約】【課題】  視認性や体裁が悪化するのを抑制防止し、流動液吸蔵体がべたつくおそれのない塗布具を提供する。【解決手段】  中空の後軸１と、後軸１に交換可能に収容されるインキ吸蔵体１０と、インキ吸蔵体１０の先端部に嵌合するインキ吸蔵体受け２０と、後軸１の開口部に装着されて視認性を有する略円筒形の先軸３０と、先軸３０に挿入されてインキ吸蔵体１０からのインキを流動させる検知管４０と、検知管４０に支持されてインキ吸蔵体１０のインキを流出させる中継芯５０と、検知管４０に支持されて中継芯５０の反対側に位置するペン芯６０とを備える。そして、先軸３０を濡れ性や透明性の高いポリエチレンナフタレートにより形成する。保管状況により結露が発生しても、結露が液滴になることがなく、先軸３０や検知管４０の視認性や体裁が悪化するのを抑制防止できる。【選択図】  図１
2005081628.tif 000002
【特許請求の範囲】
【請求項１】
流動液吸蔵体からペン芯に流動液を供給する塗布具であって、流動液吸蔵体を収容する後軸と、この後軸に嵌め入れられて少なくとも流動液吸蔵体に対向する流動液吸蔵体受けと、この流動液吸蔵体受けを覆う略中空透明の先軸と、この先軸に挿入される略透明の検知管と、この検知管に支持されて流動液吸蔵体に接触する中継芯と、検知管に支持されて中継芯との間に隙間を形成し、先軸から露出するペン芯とを含み、
少なくとも先軸の内面を濡れ性の高い材料により形成したことを特徴とする塗布具。
【請求項２】
流動液あるいはその溶剤と先軸内面との接触角を５０°以下とした請求項１記載の塗布具。
【請求項３】
流動液吸蔵体受けを略筒形に形成してその周壁には結露防止孔を設けた請求項１又は２記載の塗布具。
【請求項４】
流動液吸蔵体受けを略筒形に形成してその周壁には毛管作用を生じさせる凹凸を形成した請求項１、２、又は３記載の塗布具。
【請求項５】
凹凸の形状を、複数の凹字形、凸字形、及び又は断面略Ｖ字形とした請求項４記載の塗布具。
【請求項６】
先軸の周壁に、視認用のレンズを形成した請求項１ないし５いずれかに記載の塗布具。
【発明の詳細な説明】
【技術分野】
【０００１】
本発明は、インキの終了を簡単に検知することのできるマーカ等の塗布具に関するものである。
【背景技術】
【０００２】
筆記具には様々なタイプがあるが、その一つとして、インキの終了を視覚的に把握することのできるエンド検知マーカがあげられる。この種のエンド検知マーカは、例えば図示しないインキ吸蔵体を交換可能に収容する後軸と、この後軸に取り付けられる透明の先軸と、この先軸に挿入される検知管と、この検知管に挿入されてインキ吸蔵体に接触する中継芯と、検知管に挿入されるペン芯とから構成されている。
このような構成のエンド検知マーカは、エンド検知部分の視認性が品質を大きく左右する重要な要素となる。
【０００３】
また、落下等によりインキ吸蔵体のインキが飛散するのを抑制防止するため、インキ吸蔵体受けを備えた筆記具も提案されている（特許文献１参照）。
【特許文献１】特開平８−３９９８５号公報
【発明の開示】
【発明が解決しようとする課題】
【０００４】
従来のエンド検知マーカは、以上のように構成され、保管状況（例えば、高温と低温が繰り返されるような環境）に起因して視認部に結露が少なからず発生し、視認性や体裁が大きく悪化するという問題がある。また、結露に伴い、インキ吸蔵体の交換時にインキ吸蔵体がべたつくおそれも少なくない。
【０００５】
本発明は、上記に鑑みなされたもので、視認性や体裁が悪化するのを抑制防止し、流動液吸蔵体がべたつくおそれのない塗布具を提供することを目的としている。
【課題を解決するための手段】
【０００６】
本発明においては、上記課題を解決するため、流動液吸蔵体からペン芯に流動液を供給するものであって、
流動液吸蔵体を収容する後軸と、この後軸に嵌め入れられて少なくとも流動液吸蔵体に対向する流動液吸蔵体受けと、この流動液吸蔵体受けを覆う略中空透明の先軸と、この先軸に挿入される略透明の検知管と、この検知管に支持されて流動液吸蔵体に接触する中継芯と、検知管に支持されて中継芯との間に隙間を形成し、先軸から露出するペン芯とを含み、
少なくとも先軸の内面を濡れ性の高い材料により形成したことを特徴としている。
【０００７】
なお、流動液あるいはその溶剤と先軸内面との接触角を５０°以下とすることができる。
また、流動液吸蔵体受けを略筒形に形成してその周壁には結露防止孔を設けることができる。
また、流動液吸蔵体受けを略筒形に形成してその周壁には毛管作用を生じさせる凹凸を形成することができる。
【０００８】
また、凹凸の形状を、複数の凹字形、凸字形、及び又は断面略Ｖ字形とすることができる。
さらに、先軸の周壁に、視認用のレンズを形成することも可能である。
【０００９】
ここで、特許請求の範囲における流動液吸蔵体は、その毛細管力の分布がペン芯側に向かうほど大きくなることが好ましい。略透明という用語には、透明と半透明の双方の意味が含まれる。
【００１０】
検知管は、円筒形、楕円形の筒形、三角形の筒形、四角形の筒形、多角形の筒形、星形の筒形等に形成される。この検知管の表面張力は、流動液の表面張力よりも小さいことが好ましい。検知管の流路断面積は８×１０-2〜８０ｍｍ2の範囲が良い。
【００１１】
中継芯は、流動液吸蔵体の全長の５％以上の長さで接触していることが好ましい。この中継芯の断面積は、流動液吸蔵体の断面積の１％〜９０％であることが好ましい。また、中継芯の毛細管力は、流動液吸蔵体の毛細管力よりも大きいほうが良い。中継芯は、内外二層構造に構成され、外層部の毛細管力が内層部の毛細管力よりも大きいほうが良い。
【００１２】
結露防止孔は、単数でも良いし、複数でも良い。断面略Ｖ字形には、少なくとも断面Ｖ字形や断面Ｕ字形が含まれる。さらに、塗布具は、サインペン、各種マーカ等の筆記具、修正具、化粧具等として使用することができる。
【００１３】
本発明によれば、先軸を濡れ性等に優れる材料により形成するので、例え温度変化等に基づいて結露が発生しても、結露が液滴になるのを防ぐことができる。
また、流動液が流動液吸蔵体から中継芯、及び検知管を経由してペン芯に流れ、このペン芯に対する浸透により流動液の塗布が可能になる。流動液の塗布により、流動液が減少して終了する場合には、略透明の検知管に流動液が存在しなくなるので、流動液の終了等を視覚的に把握することができる。
【００１４】
また、結露防止孔が結露水を流動液吸蔵体受けの外側から流動液吸蔵体受けの内側に導き、結露の発生を抑制する。
また、凹凸がその毛管力により結露水を流動液吸蔵体受けの外側から流動液吸蔵体受けの内側を介し流動液吸蔵体、中継芯、ペン芯に戻すので、空気置換用の流通路が遮断されることが少なく、結露により描線が薄くなるのを抑制できる。
【発明の効果】
【００１５】
以上のように本発明によれば、視認性や体裁が悪化するのを有効に抑制あるいは防止することができるという効果がある。また、流動液吸蔵体がべたつくおそれを排除することができる。
【発明を実施するための最良の形態】
【００１６】
以下、図面を参照して本発明の好ましい実施の形態を説明すると、本実施形態における塗布具は、図１ないし図８に示すように、中空の後軸１と、この後軸１に交換可能に収容されるインキ吸蔵体１０と、このインキ吸蔵体１０のインキの飛散を防ぐ略円筒形のインキ吸蔵体受け２０と、後軸１の開口部に装着されて視認性を有する略円筒形の先軸３０と、この先軸３０に挿入されてインキ吸蔵体１０からのインキを流動させる検知管４０と、この検知管４０に挿入支持されてインキ吸蔵体１０のインキを流出させる中継芯５０と、検知管４０に挿入支持されて先軸３０から露出するペン芯６０とを備え、エンド検知マーカ等の中綿式の筆記具として利用される。
【００１７】
後軸１は、図１に示すように、例えばＰＰ等からなる所定の合成樹脂を使用して長い有底円筒形に成形され、筆記具の本体として機能する。この後軸１は、その内周面の略前半分が拡径内周面２に形成され、内周面の略後半分が縮径内周面３に形成されており、これら拡径内周面２と縮径内周面３の間がテーパ形の傾斜段差面４に形成される。後軸１は、不透明や透明に形成されるが、外観上や実用上の観点からどちらを採用しても良い。
【００１８】
インキ吸蔵体１０は、図１に示すように、所定の材料を使用して細長い円柱形に形成され、水性インキや油性インキ等からなる筆記用のインキが含浸される。この中綿であるインキ吸蔵体１０は、例えば天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ＰＰ系樹脂、ポリエーテル系樹脂、ポリフェニレン系樹脂、フェルト等の繊維を使用して束体に形成される。またこれ以外にも、スポンジ、樹脂粒子、焼結体の多孔体を使用して形成される。
【００１９】
流動液であるインキは、その終了サインを良好に検知するため、表面張力が２５℃以下で１８ｍＮ／ｍ以上、好ましくは２５℃以下で２０〜５０ｍＮ／ｍ以上に設定される。このインキの表面張力は、インキの組成に界面活性剤等を必要に応じて配合することにより調整される。
【００２０】
インキの粘度係数は、ペン芯６０に対する円滑な供給を確保するため、２５℃以下で５００ｍＰａ・ｓ以下、好ましくは２００ｍＰａ・ｓ以下、より好ましくは１〜１００ｍＰａ・ｓ以下に設定される。これは、インキの粘度係数が５００ｍＰａ・ｓを超える場合には、インキの流出量を十分に確保することができなくなり、流量不足に伴いかすれ等を招くおそれがあるからである。このインキの粘度係数は、インキ組成物に増粘剤等を必要に応じて配合することにより調整される。
【００２１】
インキ吸蔵体受け２０は、図１ないし図３に示すように、例えばＰＰ等からなる所定の合成樹脂を使用して中空の凸字形に成形され、インキ吸蔵体１０からのインキの飛散を抑制防止するよう機能する。
【００２２】
インキ吸蔵体受け２０は、その周壁にペン芯６０からの揮発比率を低下させる結露防止孔２１が任意の数だけ穿孔され、周壁内外面には、毛管力を生じさせる微細な凹凸２２が長手方向に複数形成される。
【００２３】
凹凸２２は、例えばインキ吸蔵体受け２０の周方向に所定のピッチで並ぶ断面凹字形（図４参照）、断面凸字形（図５参照）、あるいは断面略Ｖ字形（図６参照）等に形成される。このようなインキ吸蔵体受け２０は、後軸１の開口部からその内部に嵌入されて後軸１の拡径内周面２に隙間を介し対向するとともに、傾斜段差面４に接触し、インキ吸蔵体１０の先端側端部に嵌合接触する。
【００２４】
先軸３０は、図１、図７、図８に示すように、例えば濡れ性、透明性、ガスバリア性等に優れるポリエチレンナフタレート（ＰＥＮ）等からなる合成樹脂を使用して中空透明の凸字形に成形され、光透過率が３０％〜１００％、好ましくは５０％〜１００％、より好ましくは８０％以上に設定されており、後軸１の開口部に装着されてインキ吸蔵体受け２０の縮径の先端部に嵌入される。
【００２５】
先軸３０は、インキあるいはその溶剤との接触角が５０°以下、好ましくは２０°以下とされる。先軸３０は、その先端部３１に、ペン芯６０保護用のキャップ３２が着脱自在に嵌合され、中央部付近の外周面には半径外方向に張り出すリング形の位置決めフランジ３３が突設されており、この位置決めフランジ３３が後軸１の開口端面に位置決め接触する。
【００２６】
先軸３０の先端部３１内周面には、半径内方向に指向する略リング形の圧接部が選択的に突設される。先軸３０の周壁は、その肉厚が部分的に増減されて複数のレンズ３４とされ、各レンズ３４が光の屈折を利用して検知管４０を拡大視認させるよう機能する。
【００２７】
レンズ３４は、例えばコア内径を面削ぎするタイプ（図８参照）、虫眼鏡のように中央部の肉厚を増加させるタイプ（図９参照）、曲率を変更し、拡大して見せるタイプ（図１０参照）等に形成される。
なお、レンズ３４を単数としても良いし、先軸周壁のレンズ３４以外の領域にシボ加工を施し、レンズ３４を強調しても良い。
【００２８】
検知管４０は、同図に示すように、所定の材料を使用して視認性の円筒形に成形され、インキ吸蔵体受け２０の先端部と先軸３０とに貫通支持される。この検知管４０の材料としては、ポリプロピレン、ポリエチレン、環状ポリオレフィン、ポリ（１−メチル−４−ペンテン）等のポリオレフィン系樹脂、ポリスチレン、ポリエチレンテレフタレート、ポリエチレンナフタレート、ポリブチレンテレフタレート、フッ素樹脂、シリコーンゴム等があげられる。
【００２９】
検知管４０の内周面には、フッ素やシリコーン樹脂等のコート処理が選択的に施され、この処理により、検知管４０の表面張力がインキの表面張力よりも小さくなる。検知管４０の外周面周方向には、溝状の被圧接部が選択的に切り欠かれ、この被圧接部が圧接部と相互に嵌合して圧接する。
【００３０】
中継芯５０は、同図に示すように、所定の材料を使用して略円柱形に形成され、インキ吸蔵体受け２０内における検知管４０のインキ吸蔵体側端部に嵌入支持される。この中継芯５０は、インキ吸蔵体受け２０から突出してインキ吸蔵体１０の先端部に挿入され、インキ吸蔵体１０のインキをペン芯６０に検知管４０を介し供給するよう機能する。
【００３１】
中継芯５０は、例えば天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂、フェルト等の繊維を使用して束体に形成される。勿論、これ以外にも、スポンジ、樹脂粒子、焼結体の多孔体を使用して形成される。
【００３２】
中継芯５０は、インキ吸蔵体１０の全長の５％以上、好ましくは１０％以上、より好ましくは２０％〜１００％、さらに好ましくは５０％〜１００％の長さとされる。これは、中継芯５０の長さがインキ吸蔵体１０全長の５％未満の場合には、従来の中綿式筆記具と同レベルのインキ消費率になるおそれがあるからである。
【００３３】
ペン芯６０は、図１に示すように、所定の材料を使用して先端の丸まった略円柱形に形成され、検知管４０の反インキ吸蔵体１０側端部にＯリング６１を介し嵌入支持されて先軸３０の先端部３１から露出する。
【００３４】
ペン芯６０は、例えば天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリエーテル系樹脂、ポリフェニレン系樹脂、フェルト等の繊維を使用して束体に形成される。これ以外にも、スポンジ、樹脂粒子、焼結体の多孔体を使用して適宜形成される。
【００３５】
ペン芯６０は、その周面に溝が周方向に適宜切り欠かれ、最大幅部６２が検知管４０の端部に嵌入される。このようなペン芯６０は、中継芯５０に隙間である検知空間４１をおいて対向するとともに、検知管４０や中継芯５０と共に一列に並んで一体化され、検知空間４１のインキを紙面に供給する。
【００３６】
上記構成において、インキは、インキ吸蔵体１０から中継芯５０、及び検知管４０を経由してペン芯６０に浸透し、このペン芯６０に対する浸透により筆記が可能になる。そして、長期に亘る筆記により、インキが減少して終了する場合には、透明の検知管４０の検知空間４１をインキが通過しなくなるので、インキの終了サインを視覚的に簡単明瞭に検知することができる。
【００３７】
上記構成によれば、先軸３０を濡れ性等に優れるポリエチレンナフタレートにより成形するので、保管状況に基づいて先軸３０に結露が発生しても、結露が液滴になることがない。したがって、先軸３０や検知管４０の視認性や体裁が大きく悪化するのをきわめて有効に抑制防止することができる。
【００３８】
また、後軸１０とインキ吸蔵体受け２０との間に結露水が生じても、結露防止孔２１が結露水をインキ吸蔵体受け２０の外面からインキ吸蔵体受け２０の内部に導き、結露の発生を抑制するので、例えアルコール系のマーカでも結露が発生し難く、結露に伴い筆記不良を招くのを有効に抑制防止することができる。
【００３９】
また、複数の凹凸２２が毛管力により結露水をインキ吸蔵体受け２０の外面からインキ吸蔵体受け２０の内部を介しインキ吸蔵体１０やペン芯６０に戻すので、筆記時の空気置換用の流通路が遮断されることがなく、結露が発生して筆記描線が薄くなることがない。これにより、樹脂を肉厚に成形してキャップ３２の内部温度の変化を抑制しなくても良いので、コスト削減を図ることが可能になる。
【００４０】
また、交換時にインキ吸蔵体１０の外面がベタベタすることがないので、不快感を少なくすることが可能になる。また、例えペン芯６０が乾燥してかすれた場合でも、インキの終了サインが誤って検知されることがなく、これを通じて筆記具の長期使用や利便性等を図ることが可能になる。また、先軸３０のレンズ３４が検知管４０を拡大視認させるので、検知管４０が細い場合でも明瞭な検知管４０の把握が期待できる。検知管４０が太い場合には、検知管４０を際立たせることができる。
【００４１】
また、別部品である検知管４０、中継芯５０、及びペン芯６０を一体構造に組み立てて一体化するので、検知管４０に気泡の混入を招くことなく容易に組み立てることができ、組立性や製造性等の著しい向上が期待できる。また、圧接部と被圧接部とを強く係合させるようにすれば、摩擦力や嵌め合い力により、先軸３０や検知管４０の脱落等を有効に防止することができる。
【００４２】
また、ペン芯６０の最大幅部６２を検知管４０に嵌入して寸法安定性を増大させ、樹脂成分が多く硬度の高い領域でシールして強度を向上させることができる。これにより、筆記時のペン芯６０の横倒れを防いだり、安定したシール性を確保することが可能となり、さらには気泡の混入防止も期待できる。
【００４３】
なお、上記実施形態では後軸１を単に示したが、特に問題がなければ、後軸１の一部のみを透明に形成しても良い。また、先軸３０、検知管４０、中継芯５０、及びペン芯６０を一体構造に構成しても良い。さらに、検知管４０に中継芯５０とペン芯６０とをそれぞれ圧入しても良いが、例えば三つ割れのチャック構造等に構成することもできる。
【図面の簡単な説明】
【００４４】
【図１】本発明に係る塗布具の実施形態を示す断面全体説明図である。
【図２】本発明に係る塗布具の実施形態におけるインキ吸蔵体受けを示す側面図である。
【図３】本発明に係る塗布具の実施形態におけるインキ吸蔵体受けを示す背面図である。
【図４】本発明に係る塗布具の実施形態における凹字形からなる凹凸を示す断面説明図である。
【図５】本発明に係る塗布具の実施形態における凸字形からなる凹凸を示す断面説明図である。
【図６】本発明に係る塗布具の実施形態におけるＶ字形からなる凹凸を示す断面説明図である。
【図７】本発明に係る塗布具の実施形態における先軸を示す側面図である。
【図８】図７のＶＩＩＩ−ＶＩＩＩ線断面図である。
【図９】本発明に係る塗布具の実施形態における先軸と他のレンズを示す図８相当図である。
【図１０】本発明に係る塗布具の実施形態における先軸と他のレンズを示す図８相当図である。
【符号の説明】
【００４５】
１          後軸
１０        インキ吸蔵体（流動液吸蔵体）
２０        インキ吸蔵体受け（流動液吸蔵体受け）
２１        結露防止孔
２２        凹凸
３０        先軸
３１        先端部
３４        レンズ
４０        検知管
４１        検知空間（隙間）
５０        中継芯
６０        ペン芯
【図１】
2005081628.tif 000003
【図２】
2005081628.tif 000004
【図３】
2005081628.tif 000005
【図４】
2005081628.tif 000006
【図５】
2005081628.tif 000007
【図６】
2005081628.tif 000008
【図７】
2005081628.tif 000009
【図８】
2005081628.tif 000010
【図９】
2005081628.tif 000011
【図１０】
2005081628.tif 000012